(57)【要約】【課題】小型で携帯可能で、汎用性があり、随所に取り付け設置できて、適量のオゾンが目的対象物に充分行き渡り効果的に殺菌し、その上、高価な石英管、使用制限の規制のある水銀を使用しないで、安価な殺菌消臭装置を提供すること。【解決手段】オゾンを発生させる機構に、沿面放電方式を採用し小型放電管、小型タイマー、小型ファン、インバーター回路などを集積し一体化して、小型で携帯可能、随所に取り付け設置できるようにした。【特許請求の範囲】
【請求項１】
雑菌を殺菌すると共に、悪臭を消臭するための殺菌消臭装置であって、オゾン発生ランプ、発生するオゾンの量を制限・制御する為のタイマーと、オゾンが殺菌消臭の対象物付近に、充分、行き渡るように、雰囲気をかくはんする為の小型ファンとを備えた殺菌消臭装置に於いて、オゾン発生ランプを、沿面放電を利用した小型放電管によるイオン発生機構に換えることによって、手軽に携帯出来、随所に、取り付け，設置出来ることを特徴とした携帯型オゾン殺菌消臭装置。
【請求項２】
外装の材質を、テフロン或いは塩化ビニールなどの耐オゾン性のものとし、又装置内部の部品を塩ビ系の塗料にて、被覆したことを特徴とする請求項１記載の携帯型オゾン殺菌消臭装置。
【発明の詳細な説明】
【０００１】
【発明の属する技術分野】
本発明は殺菌消臭装置に関し、特に食品保存庫、トイレ、ゴミ箱、靴類内を、
殺菌消臭する装置に関するものである。
【０００２】
【従来の技術】
紫外線および、オゾンによる、殺菌装置は周知であり既に商品化されているものもある。自動車の車内などの空間内に発生する悪臭成分や細菌を、オゾンで脱臭・殺菌したり、靴を長時間履いた場合、足の発汗に起因して、靴内が湿度をもち、悪臭を発することに対して殺菌ランプ、やオゾンランプを利用し、紫外線や、オゾンによって、靴内を殺菌し、消臭する装置等、提案されている、又、オゾンは、食品保管庫に設置し、新鮮野菜の殺菌、や、鮮度を保つ為、等にも利用されている。例えば、特開平３−１０３２６２号公報、特開平５−２２０２０８号公報、特開平８−２１４９６０号公報、特開平９−７５２９２号公報、実開昭５７−４２８３３号公報、等により知られている。
【０００３】
【発明が解決しようとする課題】
しかし、従来の装置は、オゾンの発生機構に於いて紫外線照射ランプを使用するものが主で、形状的には、小型化は難しく，複数本を使用する、又、紫外線ランプは水銀を加熱して水銀蒸気を作るためのフィラメントをそのまま放電電極として利用するためにフィラメントの寿命が短いという欠点があった。紫外線ランプは円筒状の石英管にアルゴンガス、水銀を封入しているので価格の点でも高価である、使用電源も、直流６Ｖ〜２４Ｖが，一般的である。
又、食品などの保管庫に設置の場合は、外寸１６６ｍｍの紫外線ランプによってオゾンを発生させるため、装置全体は大きなものとなり、簡単に持ち運ぶことが出来ない、例え、持ち運べても，携帯することは難しい、上記公報記載の装置は、夫々の用途ごとに設計されていて、汎用性が無かった。
【０００４】
本発明はかかる問題点に鑑み、小型で、携帯可能、汎用性があり、随所に、取り付け設置出来て、適量のオゾンが目的対象物に充分、行き渡り、効果的に殺菌、消臭し、その上、高価な石英管、使用制限のある水銀を使用しないため価格も、安価の携帯型オゾン殺菌消臭装置を提供することを課題とする。
【０００５】
【問題を解決するための手段】
そこで、本発明に係る携帯型オゾン殺菌消臭装置は、オゾンを発生させるのに沿面放電による方法を採用することで、オゾン発生装置の形状を、小型化し、同時にタイマーと、小型ファンを基板上で一体化し、オゾンの発生量を、制限すると共に、小型ファンで、殺菌消臭の対象物に充分オゾンが行き渡る様にし、且つ、小型放電管の電極に高周波の高電圧を印加するためのインバーター回路と、インバーター回路の入力電圧を供給する電池とを、集積設置し小型で、携帯可能で、随所に、取り付け設置できるようにした。
【０００６】
一般の沿面放電は絶縁体の内部に埋め込まれた金属平板（内部電極）と、絶縁体の表面に短冊状の金属平板（表面電極）を並べた２種類の電極より構成されているが、本発明が採用の方式は、小型放電管の軟質ガラスパイプの内壁に、酸化亜鉛を塗布し内部に、アルゴンガスとネオンガスとの混合ガスと、内部電極を入れ、封入されている。外部電極は、ステンレス製の金網を、円筒状にし、小型放電管の外面に密着するように装着し放電管の外壁との間で沿面放電させる。
この小型放電管の外寸は４０ｍｍで、駆動電圧は、直流３Ｖである。
【０００７】
小型放電管は、アルゴンガスとネオンガスとを混合することによって、放電電圧が低くすることが出来る、又、酸化亜鉛を塗布することで、放電管の寿命を長くすることが出来る、又、オゾンは高濃度になると人体への影響があって，危険である、そのため、発生させたオゾンを過剰にならないよう、オゾン濃度の管理が必要で、それはタイマーによって，発生量を制限する、即ち、設置或いは取り付けられた個所の空間の体積の大きさに，したがって、タイマーの時間を設定すればよい、通常では、２〜５分で充分効果がある。
【０００８】
又、オゾンは強力な酸化剤なので装置の外装、および、内部の構成部品などには酸化に強い材料を使う必要がある。或いは、耐オゾン性の塗料等で被覆することが必要である。
【０００９】
【発明の実施の形態】
本発明の実施例を図面を用いて説明する。図１は本発明の携帯型オゾン殺菌消臭装置の外観図である。
携帯型オゾン殺菌消臭装置１、、外装２、スイッチ１１、稼動の表示確認の為の表示ランプ１２、空気取り入れ口３、発生したオゾンを周囲に放出する為のファン４、である。
【００１０】
図２は、本発明の携帯型オゾン殺菌消臭装置の断面図である、
駆動用電源として、単三乾電池６、インバーター回路７、オゾン発生用の沿面放電方式の小型放電管８、が組み込まれている。
【００１１】
図３は本発明の電気的回路構成図である。
図４は本発明の使用例で携帯用オゾン殺菌消臭装置を、トイレの便座の蓋４１、に取り付けた場合である、使用後，スイッチを入れ５分間でスイッチが切れるようにタイマーを設定する、蓋をして、次回、使用までには，悪臭は消え、同時に，殺菌も出来ている。
【００１２】
図５は、ゴミ箱５１、に取り付けた本発明の携帯型オゾン殺菌消臭装置である、
ゴミ投入後、２分間で切れるように、タイマーを設定，蓋をする、その後、周囲の悪臭は消臭できている、尚、ゴミ箱の体積によって、タイマーの設定時間は変えていく必要がある、この場合のゴミ箱の寸法は、Ｗ３００ｍｍＸＤ３００ｍｍＸＨ４５０ｍｍである。
【００１３】
図６は、長時間履いた靴を、チャック付のビニール袋６１、に、本発明の携帯用オゾン殺菌消臭装置と同時に入れて、スイッチを入れ、２分後切れるように設定し、チャックをする、５分後には悪臭を消すことが出来た。
携帯できることで、旅行用としても，充分役立つものである。
【００１４】
上記記載の実施例の他、洗濯機，脱水乾燥機、風呂場、食品の保管庫など、場所を選ばず随所に取り付けることが出来移動も簡単である。
【００１５】
【発明の効果】
以上のように，沿面放電方式によるオゾン発生によって構造を簡単に、装置全体を小型化でき、その上、高価な部材を使用しないで、安価で、殺菌脱臭が出来る。
又、場所を選ばず、何処へでも，携帯、取り付け、設置出来る。
【図面の簡単な説明】
【図１】本発明の携帯型オゾン殺菌消臭装置の外観図である。
【図２】本発明の携帯型オゾン殺菌消臭装置の断面図で内部の概念図である。
【図３】本発明の携帯型オゾン殺菌消臭装置の電気的回路の構成図である。
【図４】本発明の携帯型オゾン殺菌消臭装置の実施例の概念図である。
【図５】本発明の携帯型オゾン殺菌消臭装置の他の実施例の概念図である。
【図６】本発明の携帯型オゾン殺菌消臭装置のさらに他の実施例の概念図である。
【符号の説明】
１　　携帯型オゾン殺菌消臭装置
２　　外装
３　　空気の吸入口
４　　小型ファン
６　　乾電池（単３）
７　　インバーター回路
８　　小型放電管
４１　便座の蓋
５１　ゴミ箱
６１　チャック付ビニール袋
【図１】
2004073696.tif 000002
【図２】
2004073696.tif 000003
【図３】
2004073696.tif 000004
【図４】
2004073696.tif 000005
【図５】
2004073696.tif 000006
【図６】
2004073696.tif 000007